(57)【要約】      （修正有）【課題】装置規模の増大を抑えつつ、入出力処理部に故障が発生した際のデータ転送を行うことが可能なデータ転送装置を提供する。【解決手段】光カプラ１０１は、伝送ラインを介して入力された光データ信号Ｌ１を第１運用系入力処理部１１１Ａと第１予備系入力処理部１１１Ｂに供給する。第１運用系入力処理部は、光データ信号を運用系情報データ信号Ｅ１Ａに変換して、第１セレクタ１３１に供給する。第１予備系入力処理部は、光データ信号を予備系情報データ信号Ｅ１Ｂに変換して、予備系接続部１２０に供給する。故障監視部１６０は、故障の有無を判定し、判定結果を故障情報ＸＴとして接続制御部１５０に供給する。第１運用系入力処理部に故障が生じている場合、予備系接続部は、予備系情報データ信号を予備系接続信号Ｒ１として第１セレクタに供給する。第１セレクタは、予備系接続信号を選択信号Ｓ１として、第１出力処理回路１４１に供給する。【選択図】図１
2015156564.tif 000002
【特許請求の範囲】
【請求項１】
第１伝送ラインを介して供給された第１入力データ信号を第１運用系ライン及び第１予備系ライン各々に送出する第１分岐部と、
前記第１運用系ラインを介して供給された前記第１入力データ信号に対して所定の入力信号処理を施すことにより第１運用系データ信号を生成する第１運用系入力処理部と、
前記第１予備系ラインを介して供給された前記第１入力データ信号に対して前記入力信号処理を施すことにより第１予備系データ信号を生成する第１予備系入力処理部と、
第２伝送ラインを介して供給された第２入力データ信号を第２運用系ライン及び第２予備系ライン各々に送出する第２分岐部と、
前記第２運用系ラインを介して供給された前記第２入力データ信号に対して前記入力信号処理を施すことにより第２運用系データ信号を生成する第２運用系入力処理部と、
前記第２予備系ラインを介して供給された前記第２入力データ信号に対して前記入力信号処理を施すことにより第２予備系データ信号を生成する第２予備系入力処理部と、
第１データ信号に対して所定の出力信号処理を施す第１出力処理部と、
第２データ信号に対して前記出力信号処理を施す第２出力処理部と、
前記第１運用系入力処理部及び前記第１出力処理部に故障が生じていない場合には前記第１運用系データ信号を前記第１データ信号として前記第１出力処理部に供給し、前記第１運用系入力処理部に故障が生じている場合には前記第１予備系データ信号を前記第１データ信号として前記第１出力処理部に供給し、前記第１出力処理部に故障が生じている場合には前記第１予備系データ信号を前記第２データ信号として前記第２出力処理部に供給する相互接続部と、を有することを特徴とするデータ転送装置。
【請求項２】
前記相互接続部は、前記第２運用系入力処理部及び前記第２出力処理部に故障が生じていない場合には前記第２運用系データ信号を前記第２データ信号として前記第２出力処理部に供給し、前記第２運用系入力処理部に故障が生じている場合には前記第２予備系データ信号を前記第２データ信号として前記第２出力処理部に供給し、前記第２出力処理部に故障が生じている場合には前記第２予備系データ信号を前記第１データ信号として前記第１出力処理部に供給することを特徴とする請求項1記載のデータ転送装置。
【請求項３】
前記相互接続部は、
前記第１運用系データ信号及び第１予備系接続信号のうちの一方を選択しこれを前記第１データ信号として出力する第１セレクタと、
前記第２運用系データ信号及び第２予備系接続信号のうちの一方を選択しこれを前記第２データ信号として出力する第２セレクタと、
前記第１運用系入力処理部及び前記第１出力処理部に故障が生じていない場合には前記第１セレクタを制御して前記第１運用系データ信号を選択させ、前記第１運用系入力処理部に故障が生じている場合には前記第１セレクタを制御して前記第１予備系接続信号を選択させ、前記第１出力処理部に故障が生じている場合には前記第２セレクタを制御して前記第２予備系接続信号を選択させる選択制御部と、
前記第１運用系入力処理部に故障が生じている場合には前記第１予備系データ信号を前記第１予備系接続信号として前記第１セレクタに供給し、前記第１出力処理部に故障が生じている場合には前記第１予備系データ信号を前記第２予備系接続信号として前記第２セレクタに供給する予備系接続部と、を含むことを特徴とする請求項1または２記載のデータ転送装置。
【請求項４】
前記選択制御部は、前記第２運用系入力処理部及び前記第２出力処理部に故障が生じていない場合には前記第２セレクタを制御して前記第２運用系データ信号を選択させ、前記第２運用系入力処理部に故障が生じている場合には前記第２セレクタを制御して前記第２予備系接続信号を選択させ、前記第２出力処理部に故障が生じている場合には前記第１セレクタを制御して前記第１予備系接続信号を選択させ、
前記予備系接続部は、前記第２運用系入力処理部に故障が生じている場合には前記第２予備系データ信号を前記第２予備系接続信号として前記第２セレクタに供給し、前記第２出力処理部に故障が生じている場合には前記第２予備系データ信号を前記第１予備系接続信号として前記第１セレクタに供給することを特徴とする請求項３に記載のデータ転送装置。
【請求項５】
前記第１及び第2入力データ信号は光信号であり、
前記第１及び第2分岐部は光カプラであり、
前記入力信号処理は光電変換処理であることを特徴とする請求項１乃至４のいずれか１に記載のデータ転送装置。
【請求項６】
前記第１出力処理部から出力された第１の出力信号及び前記第２出力処理部から出力された第２の出力信号を通信網に送出する送信部を更に含み、
前記送信部は、前記第１出力処理部に故障が生じている場合には前記第１の出力信号及び前記第２の出力信号のうち前記第２の出力信号を選択して前記通信網に送出し、前記第２出力処理部に故障が生じている場合には前記第１の出力信号及び前記第２の出力信号のうち前記第１の出力信号を選択して前記通信網に送出することを特徴とする請求項１乃至５のいずれか１に記載のデータ転送装置。
【発明の詳細な説明】
【技術分野】
【０００１】
本発明は、データ信号を宛先に対応した伝送路に転送するデータ転送装置に関する。
【背景技術】
【０００２】
ＡＴＭ（Asychronous Transfer Mode）通信等のデータ通信に用いられるデータ転送装置では、装置内のポートが故障した場合には、故障したポートから未使用のポートへと手動で伝送ケーブルを接続し直し、クロスコネクト情報を書き換えることが行われていた。しかし、こうした手動での切替え作業は、保守者が装置設置場所まで移動して対応する必要がある等、故障が発生してから装置が使用可能となるまでに長時間を要する。そこで、通常使用する運用系のポートの他に、待機系のポートを設けておき、ポートの故障を検知した場合には、自動で使用するポートを運用系から待機系へと切替えるようにしたＡＴＭスイッチ装置が提案されている（例えば、特許文献１）。
【特許文献１】特開平９−１８１７２７号公報
【発明の概要】
【発明が解決しようとする課題】
【０００３】
かかる装置においては、運用系のポートの他に待機系のポートを設ける必要がある。また、ポートに伝送ケーブルを接続し直すことなくポートの切替えを自動で行うため、運用系のポートと待機系のポートの双方に伝送ケーブルが接続されている。そのため、データの転送に用いるポート及び伝送ケーブルの他に、故障時に備えたポートと伝送ケーブルとが別途必要となり、装置の規模が増大してしまうという問題が生じた。
【０００４】
そこで、本発明は、装置の規模の増大を抑えつつ、ポート等の故障時に伝送路の切替えによってデータの転送を可能とするデータ転送装置を提供することを目的とする。
【課題を解決するための手段】
【０００５】
本発明に係るデータ転送装置は、第１伝送ラインを介して供給された第１入力データ信号を第１運用系ライン及び第１予備系ライン各々に送出する第１分岐部と、前記第１運用系ラインを介して供給された前記第１入力データ信号に対して所定の入力信号処理を施すことにより第１運用系データ信号を生成する第１運用系入力処理部と、前記第１予備系ラインを介して供給された前記第１入力データ信号に対して前記入力信号処理を施すことにより第１予備系データ信号を生成する第１予備系入力処理部と、第２伝送ラインを介して供給された第２入力データ信号を第２運用系ライン及び第２予備系ライン各々に送出する第２分岐部と、前記第２運用系ラインを介して供給された前記第２入力データ信号に対して前記入力信号処理を施すことにより第２運用系データ信号を生成する第２運用系入力処理部と、前記第２予備系ラインを介して供給された前記第２入力データ信号に対して前記入力信号処理を施すことにより第２予備系データ信号を生成する第２予備系入力処理部と、第１データ信号に対して所定の出力信号処理を施す第１出力処理部と、第２データ信号に対して前記出力信号処理を施す第２出力処理部と、前記第１運用系入力処理部及び前記第１出力処理部に故障が生じていない場合には前記第１運用系データ信号を前記第１データ信号として前記第１出力処理部に供給し、前記第１運用系入力処理部に故障が生じている場合には前記第１予備系データ信号を前記第１データ信号として前記第１出力処理部に供給し、前記第１出力処理部に故障が生じている場合には前記第１予備系データ信号を前記第２データ信号として前記第２出力処理部に供給する相互接続部と、を有することを特徴とする。
【図面の簡単な説明】
【０００６】
【図１】本発明に係るデータ転送装置を示すブロック図である。
【図２】接続制御部１５０に記憶される第１のテーブルを示す図である。
【図３】接続制御部１５０に記憶される第２のテーブルを示す図である。
【図４】入力処理部１００に故障が発生した場合のデータ信号の経路を示す図である。
【図５】出力処理部１４０に故障が発生した場合のデータ信号の経路を示す図である。
【発明を実施するための形態】
【０００７】
以下、本発明の実施例を図面を参照しつつ詳細に説明する。
【０００８】
図１は、本発明に係るデータ転送装置の構成を示すブロック図である。図１に示すように、本発明に係るデータ転送装置１０は、例えば、ＡＴＭスイッチ装置等であり、分岐部１００、入力処理部１１０、予備系接続部１２０、運用系予備系選択部１３０、出力処理部１４０、接続制御部１５０、故障監視部１６０、出力スイッチ１７０（以下、ＳＷ１７０と称する）、及びインターフェイス部１８０（以下、ＩＦ１８０と称する）を含む。
【０００９】
分岐部１００は、例えば光ファイバ等の伝送ケーブルからなる伝送ラインにそれぞれ接続された光カプラ１０１、１０２及び１０３を含む。入力処理部１１０は、運用系入力処理部１１１Ａ、１１２Ａ及び１１３Ａと、予備系入力処理部１１１Ｂ、１１２Ｂ及び１１３Ｂとを含み、例えば光信号を電気信号に変換する等の所定の入力処理を行う。
【００１０】
光カプラ１０１は、伝送ラインＣ１を介して入力された光データ信号Ｌ１を、第１運用系ラインＵ１及び第１予備系ラインＹ１に送出する。光カプラ１０２は、伝送ラインＣ２を介して入力された光データ信号Ｌ２を、第２運用系ラインＵ２及び第２予備系ラインＹ２に送出する。光カプラ１０３は、伝送ラインＣ３を介して入力された光データ信号Ｌ３を、第３運用系ラインＵ３及び第３予備系ラインＹ３に送出する。
【００１１】
第１運用系入力処理部１１１Ａは、第１運用系ラインＵ１を介して供給された光データ信号Ｌ１を電気信号に変換し、これを運用系情報データ信号Ｅ１Ａとして、運用系予備系選択部１３０の第１セレクタ１３１に供給する。第２運用系入力処理部１１２Ａは、第２運用系ラインＵ２を介して供給された光データ信号Ｌ２を電気信号に変換し、これを運用系情報データ信号Ｅ２Ａとして、運用系予備系選択部１３０の第２セレクタ１３２に供給する。第３運用系入力処理部１１３Ａは、第３運用系ラインＵ３を介して供給された光データ信号Ｌ３を電気信号に変換し、これを運用系情報データ信号Ｅ３Ａとして、運用系予備系選択部１３０の第３セレクタ１３３に供給する。
【００１２】
第１予備系入力処理部１１１Ｂは、第１予備系ラインＵ１を介して供給された光データ信号Ｌ１を電気信号に変換し、これを予備系情報データ信号Ｅ１Ｂとして、予備系接続部１２０に供給する。第２予備系入力処理部１１２Ｂは、第２予備系ラインＵ２を介して供給された光データ信号Ｌ２を電気信号に変換し、これを予備系情報データ信号Ｅ２Ｂとして、予備系接続部１２０に供給する。第３予備系入力処理部１１３Ｂは、第３予備系ラインＵ３を介して供給された光データ信号Ｌ３を電気信号に変換し、これを予備系情報データ信号Ｅ３Ｂとして、予備系接続部１２０に供給する。
【００１３】
予備系接続部１２０は、接続制御部１５０から供給された接続指示情報ＣＬに従って、予備系情報データ信号Ｅ１Ｂ、Ｅ２Ｂ、及びＥ３Ｂのうちのいずれか１を予備系接続信号Ｒ１として、運用系予備系選択部１３０の第１セレクタ１３１に供給する。また、予備系接続部１２０は、接続指示情報ＣＬに従って、予備系情報データ信号Ｅ１Ｂ、Ｅ２Ｂ、及びＥ３Ｂのうちのいずれか１を予備系接続信号Ｒ２として、第２セレクタ１３２に供給する。予備系接続部１２０は、接続指示情報ＣＬに従って、予備系情報データ信号Ｅ１Ｂ、Ｅ２Ｂ、及びＥ３Ｂのうちのいずれか１を予備系接続信号Ｒ３として、第３セレクタ１３３に供給する。
【００１４】
運用系予備系選択部１３０の第１セレクタ１３１は、運用系情報データ信号Ｅ１Ａ又は予備系接続信号Ｒ１のうちのいずれか一方を、接続制御部１５０から供給された選択指示情報ＳＬに従って選択し、これを選択情報データ信号Ｓ１として、出力処理部１４０の第１出力処理回路１４１に供給する。第２セレクタ１３２は、運用系情報データ信号Ｅ２Ａ又は予備系接続信号Ｒ２のうちのいずれか一方を、選択指示情報ＳＬに従って選択し、これを選択情報データ信号Ｓ２として、第２出力処理回路１４２に供給する。第３セレクタ１３３は、運用系情報データ信号Ｅ３Ａ又は予備系接続信号Ｒ３のうちのいずれか一方を、選択指示情報ＳＬに従って選択し、これを選択情報データ信号Ｓ３として、第３出力処理回路１４３に供給する。
【００１５】
出力処理部１４０は、第１、第２、第３出力処理回路１４１、１４２及び１４３を含み、所定の出力処理を行う。第１出力処理回路１４１は、第１セレクタ１３１から供給された選択情報データ信号Ｓ１に対して、例えば、ＳＤＨ（Synchronous Digital Hierarchy）信号等の回線の終端処理及び信号の同期処理等を行い、これを処理データ信号Ｑ１としてＳＷ１７０に供給する。第２出力処理回路１４２は、第２セレクタ１３２から供給された選択情報データ信号Ｓ２に対して当該処理を行い、これを処理データ信号Ｑ２としてＳＷ１７０に供給する。第３出力処理回路１４３は、第３セレクタ１３３から供給された選択情報データ信号Ｓ３に対して当該処理を行い、これを処理データ信号Ｑ３としてＳＷ１７０に供給する。
【００１６】
接続制御部１５０には、入力処理部１１０内の故障状態に対応した接続指示情報ＣＬ及び選択指示情報ＳＬを示す第１のテーブルと、出力処理部１４０内の故障状態に対応した接続指示情報ＣＬ及び選択指示情報ＳＬを示す第２のテーブルが予め記憶されている。第１のテーブルは、図２に示すように、第１運用系入力処理部１１１Ａが故障した場合、第２運用系入力処理部１１２Ａが故障した場合、第３運用系入力処理部１１３Ａが故障した場合、入力処理部１１０内に故障がない場合のそれぞれに対応した、接続指示情報ＣＬ及び選択指示情報ＳＬを示す。第２のテーブルは、図３に示すように、第１出力処理回路１４１が故障した場合、第２出力処理回路１４２が故障した場合、第３出力処理回路１４３が故障した場合、出力処理部１４０内に故障がない場合のそれぞれに対応した接続指示情報ＣＬ及び選択指示情報ＳＬを示す。
【００１７】
接続制御部１５０は、上記第１及び第２のテーブルを参照することにより、故障監視部１６０から供給された故障情報ＸＴに対応した接続指示情報ＣＬ及び選択指示情報ＳＬを得て、この接続指示情報ＣＬを予備系接続部１２０に供給すると共に、選択指示情報ＳＬを運用系予備系選択部１３０に供給する。
【００１８】
このように、予備系接続部１２０、運用系予備系選択部１３０、及び接続制御部１５０は、入力処理部１１０の運用系入力処理部１１１Ａ〜１１３Ａ及び予備系入力処理部１１１Ｂ〜１１３Ｂと出力処理部１４０の出力回路１４１〜１４３とをクロスコネクトする相互接続部として機能する。
【００１９】
また、接続制御部１５０は、故障監視部１６０から供給された故障情報ＸＴに基づいて、処理データ信号Ｑ１〜Ｑ３のうちのいずれをＩＦ１８０に供給するのかを示すコネクション処理情報ＣＴをＳＷ１７０に供給する。コネクション処理情報ＣＴには、例えば処理データ信号Ｑ１〜Ｑ３のうち、故障の生じている出力回路で処理が行われた処理データ信号以外の処理データ信号を選択してＩＦ１８０に供給すべきことが示されている。
【００２０】
故障監視部１６０は、運用系入力処理部１１１Ａ〜１１３Ａ、及び出力処理回路１４１〜１４３の各々に対して、故障が生じているか否かの監視を行い、その故障監視結果を示す故障情報ＸＴを接続制御部１５０に供給する。
【００２１】
ＳＷ１７０は、コネクション処理情報ＣＴに基づいて処理データ信号Ｑ１〜Ｑ３のうちの１を選択し、これを送信データ信号ＭＸとしてＩＦ１８０に供給する。ＩＦ１８０は、送信データ信号ＭＸを通信ネットワークＮＷに送出する。すなわち、ＳＷ１７０及びＩＦ１８０は、データ信号の送信部として機能する。また、ＩＦ１８０は複数個あってもよく、ＳＷ１７０は、コネクション処理情報ＣＴに基づいて処理データ信号Ｑ１〜Ｑ３をいずれかのＩＦ１８０に供給するものであってもよい。
【００２２】
以下に、本発明にかかるデータ転送装置の動作について、故障が生じていない場合、入力処理部１１０に故障が生じている場合、出力処理部１４０に故障が生じている場合に分けて、説明する。
【００２３】
［故障がない場合］
まず、入力処理部１１０と出力処理部１４０のいずれにも故障が生じていない場合について、説明する。
【００２４】
光カプラ１０１は、伝送ラインＣ１を介して入力された光データ信号Ｌ１を、第１運用系ラインＵ１及び第１予備系ラインＹ１に送出する。光カプラ１０２は、伝送ラインＣ２を介して入力された光データ信号Ｌ２を、第２運用系ラインＵ２及び第２予備系ラインＹ２に送出する。光カプラ１０３は、伝送ラインＣ３を介して入力された光データ信号Ｌ３を、第３運用系ラインＵ３及び第３予備系ラインＹ３に送出する。
【００２５】
第１運用系入力処理部１１１Ａは、第１運用系ラインＵ１を介して供給された光データ信号Ｌ１を電気信号に変換し、運用系情報データ信号Ｅ１Ａとして運用系予備系選択部１３０の第１セレクタ１３１に供給する。第１予備系入力処理部１１１Ｂは、第１予備系ラインＹ１を介して供給された光データ信号Ｌ１を電気信号に変換し、予備系情報データ信号Ｅ１Ｂとして予備系接続部１２０に供給する。
【００２６】
第２運用系入力処理部１１２Ａは、第２運用系ラインＵ２を介して供給された光データ信号Ｌ２を電気信号に変換し、運用系情報データ信号Ｅ２Ａとして運用系予備系選択部１３０の第２セレクタ１３２に供給する。第２予備系入力処理部１１２Ｂは、第２予備系ラインＹ２を介して供給された光データ信号Ｌ２を電気信号に変換し、予備系情報データ信号Ｅ２Ｂとして予備系接続部１２０に供給する。
【００２７】
第３運用系入力処理部１１３Ａは、第３運用系ラインＵ３を介して供給された光データ信号Ｌ３を電気信号に変換し、運用系情報データ信号Ｅ３Ａとして運用系予備系選択部１３０の第３セレクタ１３３に供給する。第３予備系入力処理部１１３Ｂは、第３予備系ラインＹ３を介して供給された光データ信号Ｌ３を電気信号に変換し、予備系情報データ信号Ｅ３Ｂとして予備系接続部１２０に供給する。
【００２８】
故障監視部１６０は、監視の結果、入力処理部１１０及び出力処理部１４０のいずれにも故障が生じていないと判定して、故障がないことを示す故障情報ＸＴを、接続制御部１５０に供給する。
【００２９】
接続制御部１５０は、第１のテーブル及び第２のテーブルを参照し、故障が生じていない場合に対応した接続指示情報ＣＬ及び選択指示情報ＳＬを取得する。
【００３０】
図２に示すように、第１のテーブルには、入力処理部１１０の運用系入力処理部に故障がない場合、予備系入力処理部１１１Ｂ〜１１３Ｂとセレクタ１３１〜１３３とを接続しない旨、すなわち予備系接続部１２０が中継供給の処理を行わない旨の接続指示情報ＣＬが示されている。また、第１のテーブルには、入力処理部１１０の運用系入力処理部に故障がない場合、セレクタ１３１〜１３３がいずれも運用系入力処理部１１１Ａ〜１１３Ａからの運用系情報データ信号を選択する旨の選択指示情報ＳＬが示されている。
【００３１】
図３に示すように、第２のテーブルには、出力処理部１４０の出力処理回路１４１〜１４３に故障がない場合、予備系入力処理部１１１Ｂ〜１１３Ｂとセレクタ１３１〜１３３とを接続しない旨、すなわち予備系接続部１２０が中継供給の処理を行わない旨の接続指示情報ＣＬが示されている。また、第２のテーブルには、出力処理部１４０の出力処理回路１４１〜１４３に故障がない場合、セレクタ１３１〜１３３がいずれも運用系入力処理部１１１Ａ〜１１３Ａからの運用系情報データ信号を選択する旨の選択指示情報ＳＬが示されている。
【００３２】
接続制御部１５０は、中継供給の処理を行わない旨の接続指示情報ＣＬを予備系接続部１２０に供給する。接続制御部１５０は、第１運用系入力処理部１１１Ａから供給された運用系情報データ信号Ｅ１Ａを選択すべき旨の選択指示情報ＳＬを、第１セレクタ１３１に供給する。接続制御部１５０は、第２運用系入力処理部１１２Ａから供給された運用系情報データ信号Ｅ２Ａを選択すべき旨の選択指示情報ＳＬを、第２セレクタ１３２に供給する。接続制御部１５０は、第３運用系入力処理部１１３Ａから供給された運用系情報データ信号Ｅ３Ａを選択すべき旨の選択指示情報ＳＬを、第３セレクタ１３３に供給する。
【００３３】
第１セレクタ１３１は、接続制御部１５０から供給された選択指示情報ＳＬに従って、運用系情報データ信号Ｅ１Ａを選択し、選択情報データ信号Ｓ１として出力処理部１４０の第１出力処理回路１４１に供給する。第２セレクタ１３２は、接続制御部１５０から供給された選択指示情報ＳＬに従って、運用系情報データ信号Ｅ２Ａを選択し、選択情報データ信号Ｓ２として出力処理部１４０の第２出力処理回路１４２に供給する。第３セレクタ１３３は、接続制御部１５０から供給された選択指示情報ＳＬに従って、運用系情報データ信号Ｅ３Ａを選択し、選択情報データ信号Ｓ３として出力処理部１４０の第３出力処理回路１４３に供給する。
【００３４】
第１出力処理回路１４１は、選択情報データ信号Ｓ１に対して回線の終端処理及び信号の同期処理を行い、これを処理データ信号Ｑ１としてＳＷ１７０に供給する。第２出力処理回路１４２は、選択情報データ信号Ｓ２に対して回線の終端処理及び信号の同期処理を行い、これを処理データ信号Ｑ２としてＳＷ１７０に供給する。第３出力処理回路１４３は、選択情報データ信号Ｓ３に対して回線の終端処理及び信号の同期処理を行い、これを処理データ信号Ｑ３としてＳＷ１７０に供給する。
【００３５】
接続制御部１５０は、故障が存在しないことを示す故障情報ＸＴに基づいて、処理データ信号Ｑ１〜Ｑ３を送信データ信号ＭＸとしてＩＦ１８０に供給することを示すコネクション処理情報ＣＴをＳＷ１７０に供給する。
【００３６】
ＳＷ１７０は、コネクション処理情報ＣＴに基づいて処理データ信号Ｑ１〜Ｑ３を送信データ信号ＭＸとしてＩＦ１８０に供給する。ＩＦ１８０は、送信データ信号ＭＸを通信ネットワークＮＷに送出する。
【００３７】
以上の各部の動作により、図４に実線の矢印で示すように、光カプラ１０１に入力された光データ信号Ｌ１は、第１運用系入力処理部１１１Ａによって電気信号に変換され、運用系情報データ信号Ｅ１Ａとして第１セレクタ１３１に供給される。運用系情報データ信号Ｅ１Ａは、選択情報データ信号Ｓ１として第１出力処理回路１４１に供給され、第１出力処理回路１４１によって回線の終端処理及び信号の同期処理がなされる。当該処理がなされた処理データ信号Ｑ１はＳＷ１７０に供給され、送信データ信号ＭＸとしてＩＦ１８０を介して通信ネットワークＮＷに送出される。
【００３８】
同様に、光カプラ１０２に入力された光データ信号Ｌ２は、第２運用系入力処理部１１２Ａによって電気信号に変換され、運用系情報データ信号Ｅ２Ａとして第２セレクタ１３２に供給される。運用系情報データ信号Ｅ２Ａは、選択情報データ信号Ｓ２として第２出力処理回路１４２に供給され、第２出力処理回路１４２によって回線の終端処理及び信号の同期処理がなされる。当該処理がなされた処理データ信号Ｑ２はＳＷ１７０に供給され、送信データ信号ＭＸとしてＩＦ１８０を介して通信ネットワークＮＷに送出される。
【００３９】
光カプラ１０３に入力された光データ信号Ｌ３は、第３運用系入力処理部１１３Ａによって電気信号に変換され、運用系情報データ信号Ｅ３Ａとして第３セレクタ１３３に供給される。運用系情報データ信号Ｅ３Ａは、選択情報データ信号Ｓ３として第３出力処理回路１４３に供給され、第３出力処理回路１４３によって回線の終端処理及び信号の同期処理がなされる。当該処理がなされた処理データ信号Ｑ３はＳＷ１７０に供給され、送信データ信号ＭＸとしてＩＦ１８０を介して通信ネットワークＮＷに送出される。
【００４０】
［入力処理部１１０に故障がある場合］
［第１運用系入力処理部１１１Ａに故障がある場合］
次に、入力処理部１１０の第１運用系入力処理部１１１Ａに故障が生じている場合における、光データ信号Ｌ１に対する処理に係る動作について、説明する。なお、光データ信号Ｌ２及びＬ３に対する処理に係る動作については、故障がない場合と同様であるため、説明を省略する。
【００４１】
光カプラ１０１は、伝送ラインＣ１を介して入力された光データ信号Ｌ１を、第１運用系ラインＵ１及び第１予備系ラインＹ１に送出する。
【００４２】
第１運用系入力処理部１１１Ａは、第１運用系ラインＵ１を介して供給された光データ信号Ｌ１を電気信号に変換し、運用系情報データ信号Ｅ１Ａとして運用系予備系選択部１３０の第１セレクタ１３１に供給する。第１予備系入力処理部１１１Ｂは、第１予備系ラインＹ１を介して供給された光データ信号Ｌ１を電気信号に変換し、予備系情報データ信号Ｅ１Ｂとして予備系接続部１２０に供給する。
【００４３】
故障監視部１６０は、第１運用系入力処理部１１１Ａが故障していることを示す故障情報ＸＴを、接続制御部１５０に供給する。
【００４４】
接続制御部１５０は、第１のテーブルを参照し、第１運用系入力処理部１１１Ａが故障している場合に対応した接続指示情報ＣＬ及び選択指示情報ＳＬを取得する。
【００４５】
図２に示すように、第１のテーブルには、第１運用系入力処理部１１１Ａに故障が生じている場合、第１予備系入力処理部１１１Ｂと第１セレクタ１３１とを接続する旨、すなわち予備系接続部１２０が第１予備系入力処理部１１１Ｂから供給された予備系情報データ信号Ｅ１Ｂを予備系接続信号Ｒ１として第１セレクタ１３１に供給すべき旨の接続指示情報ＣＬが示されている。また、第１のテーブルには、入力処理部１１０の第１運用系入力処理部１１１Ａに故障が生じている場合、第１セレクタ１３１が予備系接続部１２０から供給された予備系接続信号Ｒ１を選択すべき旨の選択指示情報ＳＬが示されている。
【００４６】
接続制御部１５０は、第１予備系入力処理部１１１Ｂと第１セレクタ１３１とを接続すべき旨の接続指示情報ＣＬを予備系接続部１２０に供給する。
【００４７】
予備系接続部１２０は、第１予備系入力処理部１１１Ｂと第１セレクタ１３１とを接続し、第１予備系入力処理部１１１Ｂから供給された予備系情報データ信号Ｅ１Ｂを予備系接続信号Ｒ１として第１セレクタ１３１に供給する。
【００４８】
接続制御部１５０は、予備系接続信号Ｒ１を選択すべき旨の選択指示情報ＳＬを、第１セレクタ１３１に供給する。
【００４９】
第１セレクタ１３１は、予備系接続信号Ｒ１である予備系情報データ信号Ｅ１Ｂを選択し、選択情報データ信号Ｓ１として出力処理部１４０の第１出力処理回路１４１に供給する。
【００５０】
第１出力処理回路１４１は、選択情報データ信号Ｓ１に対して回線の終端処理及び信号の同期処理を行い、これを処理データ信号Ｑ１としてＳＷ１７０に供給する。
【００５１】
接続制御部１５０は、処理データ信号Ｑ１を送信データ信号ＭＸとしてＩＦ１８０に供給することを示すコネクション処理情報ＣＴをＳＷ１７０に供給する。
【００５２】
ＳＷ１７０は、コネクション処理情報ＣＴに基づいて処理データ信号Ｑ１を選択し、これを送信データ信号ＭＸとしてＩＦ１８０に供給する。ＩＦ１８０は、送信データ信号ＭＸを通信ネットワークＮＷに送出する。
【００５３】
以上の各部の動作により、図４に破線の矢印で示すように、光カプラ１０１に入力された光データ信号Ｌ１は、第１予備系入力処理部１１１Ｂによって電気信号に変換され、予備系情報データ信号Ｅ１Ｂとして、予備系接続部１２０に供給される。予備系情報データ信号Ｅ１Ｂは、予備系接続信号Ｒ１として第１セレクタ１３１に供給された後、選択情報データ信号Ｓ１として第１出力処理回路１４１に供給され、第１出力処理回路１４１によって回線の終端処理及び信号の同期処理がなされる。当該処理がなされた処理データ信号Ｑ１はＳＷ１７０に供給され、送信データ信号ＭＸとしてＩＦ１８０を介して通信ネットワークＮＷに送出される。
【００５４】
［第２運用系入力処理部１１２Ａに故障がある場合］
次に、第２運用系入力処理部１１２Ａに故障が生じている場合における、光データ信号Ｌ２に対する処理に係る動作について、説明する。なお、光データ信号Ｌ１及びＬ３に対する処理に係る動作については、故障がない場合と同様であるため、説明を省略する。
【００５５】
光カプラ１０２は、伝送ラインＣ２を介して入力された光データ信号Ｌ２を、第２運用系ラインＵ２及び第２予備系ラインＹ２に送出する。
【００５６】
第２運用系入力処理部１１２Ａは、第２運用系ラインＵ２を介して供給された光データ信号Ｌ２を電気信号に変換し、運用系情報データ信号Ｅ２Ａとして第２セレクタ１３２に供給する。第２予備系入力処理部１１２Ｂは、第２予備系ラインＹ２を介して供給された光データ信号Ｌ２を電気信号に変換し、予備系情報データ信号Ｅ２Ｂとして予備系接続部１２０に供給する。
【００５７】
故障監視部１６０は、第２運用系入力処理部１１２Ａが故障していることを示す故障情報ＸＴを、接続制御部１５０に供給する。
【００５８】
接続制御部１５０は、第１のテーブルを参照し、第２運用系入力処理部１１２Ａが故障している場合に対応した接続指示情報ＣＬ及び選択指示情報ＳＬを取得する。
【００５９】
図２に示すように、第１のテーブルには、第２運用系入力処理部１１２Ａに故障が生じている場合、第２予備系入力処理部１１２Ｂと第２セレクタ１３２とを接続する旨、すなわち予備系接続部１２０が第２予備系入力処理部１１２Ｂから供給された予備系情報データ信号Ｅ２Ｂを予備系接続信号Ｒ２として第２セレクタ１３２に供給すべき旨の接続指示情報ＣＬが示されている。また、第１のテーブルには、入力処理部１１０の第２運用系入力処理部１１２Ａに故障が生じている場合、第２セレクタ１３２が予備系接続信号Ｒ２を選択すべき旨の選択指示情報ＳＬが示されている。
【００６０】
接続制御部１５０は、第２予備系入力処理部１１２Ｂと第２セレクタ１３２とを接続すべき旨の接続指示情報ＣＬを予備系接続部１２０に供給する。
【００６１】
予備系接続部１２０は、第２予備系入力処理部１１２Ｂと第２セレクタ１３２とを接続し、第２予備系入力処理部１１２Ｂから供給された予備系情報データ信号Ｅ２Ｂを予備系接続信号Ｒ２として第２セレクタ１３２に供給する。
【００６２】
接続制御部１５０は、予備系接続部１２０から供給された予備系接続信号Ｒ２を選択すべき旨の選択指示情報ＳＬを、第２セレクタ１３２に供給する。
【００６３】
第２セレクタ１３２は、予備系接続信号Ｒ２を選択し、選択情報データ信号Ｓ２として出力処理部１４０の第２出力処理回路１４２に供給する。
【００６４】
第２出力処理回路１４２は、選択情報データ信号Ｓ２に対して回線の終端処理及び信号の同期処理を行い、これを処理データ信号Ｑ２としてＳＷ１７０に供給する。
【００６５】
接続制御部１５０は、処理データ信号Ｑ２を送信データ信号ＭＸとしてＩＦ１８０に供給することを示すコネクション処理情報ＣＴをＳＷ１７０に供給する。
【００６６】
ＳＷ１７０は、コネクション処理情報ＣＴに基づいて処理データ信号Ｑ２を選択し、これを送信データ信号ＭＸとしてＩＦ１８０に供給する。ＩＦ１８０は、送信データ信号ＭＸを通信ネットワークＮＷに送出する。
【００６７】
［出力処理部に故障がある場合］
［第１出力処理回路１４１に故障がある場合］
次に、出力処理部１４０の第１出力処理回路１４１に故障が生じている場合における、光データ信号Ｌ１に対する処理に係る動作について、説明する。なお、光データ信号Ｌ２及びＬ３に対する処理に係る動作については、故障がない場合と同様であるため、説明を省略する。
【００６８】
光カプラ１０１は、伝送ラインＣ１を介して入力された光データ信号Ｌ１を、第１運用系ラインＵ１及び第１予備系ラインＹ１に送出する。
【００６９】
第１運用系入力処理部１１１Ａは、第１運用系ラインＵ１を介して供給された光データ信号Ｌ１を電気信号に変換し、運用系情報データ信号Ｅ１Ａとして運用系予備系選択部１３０の第１セレクタ１３１に供給する。第１予備系入力処理部１１１Ｂは、第１予備系ラインＹ１を介して供給された光データ信号Ｌ１を電気信号に変換し、予備系情報データ信号Ｅ１Ｂとして予備系接続部１２０に供給する。
【００７０】
故障監視部１６０は、第１出力処理回路１４１が故障していることを示す故障情報ＸＴを、接続制御部１５０に供給する。
【００７１】
接続制御部１５０は、第２のテーブルを参照し、第１出力処理回路１４１が故障している場合に対応した接続指示情報ＣＬ及び選択指示情報ＳＬを取得する。
【００７２】
図３に示すように、第２のテーブルには、第１出力処理回路１４１に故障が生じている場合、第１予備系入力処理部１１１Ｂと第２セレクタ１３２とを接続する旨、すなわち予備系接続部１２０が第１予備系入力処理部１１１Ｂから供給された予備系情報データ信号Ｅ１Ｂを予備系接続信号Ｒ２として第２セレクタ１３２に供給すべき旨の接続指示情報ＣＬが示されている。また、第２のテーブルには、第１出力処理回路１４１に故障が生じている場合、第２セレクタ１３２が予備系接続部１２０から供給された予備系接続信号Ｒ２を選択すべき旨の選択指示情報ＳＬが示されている。
【００７３】
接続制御部１５０は、第１予備系入力処理部１１１Ｂと第２セレクタ１３２とを接続すべき旨の接続指示情報ＣＬを予備系接続部１２０に供給する。
【００７４】
予備系接続部１２０は、第１予備系入力処理部１１１Ｂと第２セレクタ１３２とを接続し、第１予備系入力処理部１１１Ｂから供給された予備系情報データ信号Ｅ１Ｂを予備系接続信号Ｒ２として第２セレクタ１３２に中継供給する。
【００７５】
接続制御部１５０は、予備系接続部１２０から供給された予備系接続信号Ｒ２を選択すべき旨の選択指示情報ＳＬを、第２セレクタ１３２に供給する。接続制御部１５０は、第１運用系入力処理部１１１Ａから供給された運用系情報データ信号Ｅ１Ａを選択すべき旨の選択指示情報ＳＬを、第１セレクタ１３１に供給する。
【００７６】
第２セレクタ１３２は、予備系接続部１２０から供給された予備系接続信号Ｒ２を選択し、選択情報データ信号Ｓ２として出力処理部１４０の第２出力処理回路１４２に供給する。第１セレクタ１３１は、第１運用系入力処理部１１１Ａから供給された運用系情報データ信号Ｅ１Ａを選択し、選択情報データ信号Ｓ１として第１出力処理回路１４１に供給する。
【００７７】
第１出力処理回路１４１は、選択情報データ信号Ｓ１に対して回線の終端処理及び信号の同期処理を行い、これを送信データ信号Ｑ１としてＳＷ１７０に供給する。第２出力処理回路１４２は、選択情報データ信号Ｓ２に対して回線の終端処理及び信号の同期処理を行い、これを送信データ信号Ｑ２としてＳＷ１７０に供給する。
【００７８】
接続制御部１５０は、故障情報ＸＴが第１出力処理回路１４１に故障が生じていることを示すものであるため、送信データ信号Ｑ１ではなく送信データ信号Ｑ２をＩＦ１８０に供給することを示すコネクション処理情報ＣＴをＳＷ１７０に供給する。
【００７９】
ＳＷ１７０は、コネクション処理情報ＣＴに基づいて送信データ信号Ｑ１、Ｑ２のうちＱ２を選択し、これを送信データ信号ＭＸとしてＩＦ１８０に供給する。ＩＦ１８０は、送信データ信号ＭＸを通信ネットワークＮＷに送出する。
【００８０】
以上の各部の動作により、図５に破線の矢印で示すように、光カプラ１０１に入力された光データ信号Ｌ１は、第１予備系入力処理部１１１Ｂによって電気信号に変換され、予備系情報データ信号Ｅ１Ｂとして、予備系接続部１２０に供給される。予備系情報データ信号Ｅ１Ｂは、予備系接続信号Ｒ２として第２セレクタ１３２に供給された後、選択情報データ信号Ｓ２として第２出力処理回路１４２に供給され、第２出力処理回路１４２によって回線の終端処理及び信号の同期処理がなされる。当該処理がなされた処理データ信号Ｑ２はＳＷ１７０に供給され、送信データ信号ＭＸとしてＩＦ１８０を介して通信ネットワークＮＷに送出される。
【００８１】
［第２出力処理回路１４２に故障がある場合］
次に、第２出力処理回路１４２に故障が生じている場合における、光データ信号Ｌ２に対する処理に係る動作について、説明する。なお、光データ信号Ｌ１及びＬ３に対する処理に係る動作については、故障がない場合と同様であるため、説明を省略する。
【００８２】
光カプラ１０２は、伝送ラインＣ２を介して入力された光データ信号Ｌ２を、第２運用系ラインＵ２及び第２予備系ラインＹ２に送出する。
【００８３】
第２運用系入力処理部１１２Ａは、第２運用系ラインＵ２を介して供給された光データ信号Ｌ２を電気信号に変換し、運用系情報データ信号Ｅ２Ａとして第２セレクタ１３２に供給する。第２予備系入力処理部１１２Ｂは、第２予備系ラインＹ２を介して供給された光データ信号Ｌ２を電気信号に変換し、予備系情報データ信号Ｅ２Ｂとして予備系接続部１２０に供給する。
【００８４】
故障監視部１６０は、第２出力処理回路１４２が故障していることを示す故障情報ＸＴを、接続制御部１５０に供給する。
【００８５】
接続制御部１５０は、第２のテーブルを参照し、第２出力処理回路１４２が故障している場合に対応した接続指示情報ＣＬ及び選択指示情報ＳＬを取得する。
【００８６】
図３に示すように、第２のテーブルには、第２出力処理回路１４２に故障が生じている場合、第２予備系入力処理部１１２Ｂと第１セレクタ１３１とを接続する旨、すなわち予備系接続部１２０が第２予備系入力処理部１１２Ｂから供給された予備系情報データ信号Ｅ２Ｂを予備系接続信号Ｒ１として第１セレクタ１３１に供給すべき旨の接続指示情報ＣＬが示されている。また、第２のテーブルには、第２出力処理回路１４２に故障が生じている場合、第１セレクタ１３１が予備系接続信号Ｒ１を選択すべき旨の選択指示情報ＳＬが示されている。
【００８７】
接続制御部１５０は、第２予備系入力処理部１１２Ｂと第１セレクタ１３１とを接続すべき旨の接続指示情報ＣＬを予備系接続部１２０に供給する。
【００８８】
予備系接続部１２０は、第２予備系入力処理部１１２Ｂと第１セレクタ１３１とを接続し、第２予備系入力処理部１１２Ｂから供給された予備系情報データ信号Ｅ２Ｂを予備系接続信号Ｒ１として第１セレクタ１３１に供給する。
【００８９】
接続制御部１５０は、予備系接続部１２０から供給された予備系接続信号Ｒ１を選択すべき旨の選択指示情報ＳＬを、第１セレクタ１３１に供給する。接続制御部１５０は、第２運用系入力処理部１１２Ａから供給された運用系情報データ信号Ｅ２Ａを選択すべき旨の選択指示情報ＳＬを、第２セレクタ１３２に供給する。
【００９０】
第１セレクタ１３１は、予備系接続部１２０から供給された予備系接続信号Ｒ１を選択し、選択情報データ信号Ｓ１として出力処理部１４０の第１出力処理回路１４１に供給する。第２セレクタ１３２は、第２運用系入力処理部１１２Ａから供給された運用系情報データ信号Ｅ２Ａを選択し、選択情報データ信号Ｓ２として第２出力処理回路１４２に供給する。
【００９１】
第１出力処理回路１４１は、選択情報データ信号Ｓ１に対して回線の終端処理及び信号の同期処理を行い、これを送信データ信号Ｑ１としてＳＷ１７０に供給する。第２出力処理回路１４２は、選択情報データ信号Ｓ２に対して回線の終端処理及び信号の同期処理を行い、これを送信データ信号Ｑ２としてＳＷ１７０に供給する。
【００９２】
接続制御部１５０は、故障情報ＸＴが第２出力処理回路１４２に故障が生じていることを示すものであるため、送信データ信号Ｑ２ではなく送信データ信号Ｑ１をＩＦ１８０に供給することを示すコネクション処理情報ＣＴをＳＷ１７０に供給する。
【００９３】
ＳＷ１７０は、コネクション処理情報ＣＴに基づいて送信データ信号Ｑ１、Ｑ２のうちＱ１を選択し、これを送信データ信号ＭＸとしてＩＦ１８０に供給する。ＩＦ１８０は、送信データ信号ＭＸを通信ネットワークＮＷに送出する。
【００９４】
以上説明したように、本実施例に係る転送データ装置１０においては、運用系入力処理部１１１Ａ（１１２Ａ）と予備系入力処理部１１１Ｂ（１１２Ｂ）とが、同一の光データ信号Ｌ１（Ｌ２）に対して入力処理を行う。運用系入力処理部１１１Ａ（１１２Ａ）に故障がある場合、予備系入力処理部１１１Ｂ（１１２Ｂ）が入力処理を行った予備系情報データ信号Ｅ１Ｂ（Ｅ２Ｂ）をセレクタ１３１（１３２）が選択し、出力処理回路１４１（１４２）に供給する。このように、予備系の入力処理部は運用系と同じ光データ信号を処理するため、伝送ケーブル等を別途設ける必要がない。
【００９５】
また、本実施例に係る転送データ装置１０においては、出力処理回路１４１（１４２）に故障がある場合、予備系接続部１２０は、予備系情報データ信号Ｅ１Ｂ（Ｅ２Ｂ）をセレクタ１３２（１３１）に供給し、セレクタ１３２（１３１）はこれを出力処理回路１４２（１４１）に供給する。このように、予備系の入力処理部が運用系の入力処理部と同じ光データ信号を処理し、これを本来他の光データ信号に係るデータ信号を処理すべき出力回路に供給して出力処理させるため、故障時に備えた予備の出力処理部を別途設ける必要がない。
【００９６】
したがって、本発明に係る転送データ装置１０によれば、装置規模の増大を抑えつつ、故障発生時のデータの転送を行うことが可能となる。
【００９７】
なお、上記実施例では、分岐部１００に光データ信号が入力されるとしたが、これに限られず、例えば電気信号が入力される構成であっても良い。また、入力処理部１００が行う処理は、光電変換処理に限られない。例えば、入力処理部１００の各モジュール（１１１Ａ、１１１Ｂ、１１２Ａ、１１２Ｂ、１１３Ａ、１１３Ｂ）は、入力信号に対して光電変換処理、波形整形処理、又はノイズ除去処理などの所定の入力処理を行うものであれば良い。また、出力処理部１４０が行う出力処理は、回線の終端処理及び信号の同期処理に限られない。例えば、出力処理部１４０の各モジュール（１４１、１４２、１４３）は、回線の終端処理、信号の同期処理、又は信号の増幅処理等などの所定の出力処理を行うものであればよい。
【００９８】
また、上記実施例では、３系統分の入力信号を受け付けて、通信ネットワークＮＷに転送する構成としたが、これに限られない。要するに、本発明は、少なくとも２系統の入力信号を受け付ける、以下の構成を有するものであれば良い。
【００９９】
すなわち、本発明に係るデータ転送装置は、第１伝送ライン（Ｃ１）を介して供給された第１入力データ信号（Ｌ１）を第１運用系ライン（Ｕ１）及び第１予備系ライン（Ｙ１）各々に送出する第１分岐部（１０１）と、第１運用系ラインを介して供給された第１入力データ信号に対して所定の入力信号処理を施すことにより第１運用系データ信号（Ｅ１Ａ）を生成する第１運用系入力処理部（１１１Ａ）と、第１予備系ラインを介して供給された第１入力データ信号に対して入力信号処理を施すことにより第１予備系データ信号（Ｅ１Ｂ）を生成する第１予備系入力処理部（１１１Ｂ）と、第２伝送ライン（Ｃ２）を介して供給された第２入力データ信号（Ｌ２）を第２運用系ライン（Ｕ２）及び第２予備系ライン（Ｙ２）各々に送出する第２分岐部（１０２）と、第２運用系ラインを介して供給された第２入力データ信号に対して入力信号処理を施すことにより第２運用系データ信号（Ｅ２Ａ）を生成する第２運用系入力処理部（１１２Ａ）と、第２予備系ラインを介して供給された第２入力データ信号に対して入力信号処理を施すことにより第２予備系データ信号（Ｅ２Ｂ）を生成する第２予備系入力処理部（１１２Ｂ）と、第１データ信号（Ｓ１）に対して所定の出力信号処理を施す第１出力処理部（１４１）と、第２データ信号（Ｓ２）に対して出力信号処理を施す第２出力処理部（１４２）と、第１運用系入力処理部及び第１出力処理部に故障が生じていない場合には第１運用系データ信号を第１データ信号として第１出力処理部に供給し、第１運用系入力処理部に故障が生じている場合には第１予備系データ信号を第１データ信号として第１出力処理部に供給し、第１出力処理部に故障が生じている場合には第１予備系データ信号を第２データ信号として第２出力処理部に供給する相互接続部（１２０、１３０、１５０）とを有する。
【符号の説明】
【０１００】
１０                データ転送装置
１００              入力処理部
１０１〜１０３      光カプラ
１１０              入力処理部
１１１Ａ〜１１３Ａ  運用系入力処理部
１１１Ｂ〜１１３Ｂ  予備系入力処理部
１２０              予備系接続部
１３０              運用系予備系選択部
１３１〜１３３      セレクタ
１４０              出力処理部
１４１〜１４３      出力回路
１５０              接続制御部
１６０              故障監視部
１７０              出力スイッチ
１８０              インターフェイス部
Ｃ１〜Ｃ３          伝送ライン
Ｌ１〜Ｌ３          光データ信号
Ｕ１〜Ｕ３          運用系ライン
Ｙ１〜Ｙ３          予備系ライン
ＸＴ                故障情報
ＣＬ                接続指示情報
ＳＬ                選択指示情報
ＣＴ                コネクション処理情報
【図１】
2015156564.tif 000003
【図２】
2015156564.tif 000004
【図３】
2015156564.tif 000005
【図４】
2015156564.tif 000006
【図５】
2015156564.tif 000007